(57)【要約】【課題】家庭用の住宅において一般商用電源が停電になるなど場合、外部から電力供給を受け、家庭での必要な電気機器、電気設備に電力を供給することが可能な配電システムを提供する。【解決手段】外部からの電力供給と、一般商用電源の分電盤からの電力供給とを受け、外部から供給された電力を電力消費機器に供給する複数の外部電力専用コンセント１２と、分電盤から供給された電力を電力消費機器に供給する複数の通常電力専用コンセント１０とを有する配電盤１４を備える。外部からの電力供給として、蓄電池からの電力供給と、電気自動車の車載バッテリーからの電力供給を含む。【選択図】図１
0003225898.tif 000002
【実用新案登録請求の範囲】
【請求項１】
外部からの電力供給と、一般商用電源の分電盤からの電力供給とを受け、前記外部から供給された電力を電力消費機器に供給する複数の外部電力専用コンセントと、
前記分電盤から供給された電力を前記電力消費機器に供給する複数の通常電力専用コンセントとを有する配電盤を備え、
前記外部からの電力供給として、蓄電池からの電力供給と、電気自動車の車載バッテリーからの電力供給を含む配電システム。
【請求項２】
請求項１に記載の配電システムにおいて、前記配電盤は入力線部を備えており、当該入力線部から伸びている入力部先端に外部からの電力供給用の電力供給用プラグを備えることを特徴とする配電システム。
【請求項３】
請求項１または請求項２に記載の配電システムにおいて、前記電力消費機器につながるプラグが前記住宅の停電時に差し込まれる複数の外部電力専用コンセントに施されている彩色と、前記複数の通常電力専用コンセントに施されている彩色とが互いに異なることを特徴とする配電システム。
【請求項４】
請求項２または請求項３に記載の配電システムを備えた住宅。
【請求項５】
請求項４に記載の住宅において、前記住宅の内壁に、前記電力供給用プラグを接続可能な電力供給用プラグ用コンセントを備え、前記住宅の外壁または前記住宅の外部に前記電力供給用プラグコンセントと接続された外部入力線部を有し、前記外部入力線部の先端に電気自動車と接続自在のプラグ部を備えることを特徴とする住宅。
【請求項６】
請求項４に記載の住宅において、前記住宅の内壁に、前記電力供給用プラグを接続可能な電力供給用プラグ用コンセントを備え、前記住宅の外壁または前記住宅の外部に前記電力供給用プラグコンセントと接続された外部入力線部を有し、前記外部入力線部の先端に外部発電機と接続自在のプラグ部を備えることを特徴とする住宅。
【考案の詳細な説明】
【技術分野】
【０００１】
この考案は配電システムに関する。特に、家庭用の住宅において一般商用電源が停電になるなどのときに電気自動車に搭載されているバッテリーを活用し、家庭での必要な電気機器、電気設備に電力供給できる配電システムに関する。
【背景技術】
【０００２】
家庭用の住宅において一般商用電源が停電になるなどのときに蓄電池を活用して家庭での必要な電気機器、電気設備に電力供給する配電システムについては従来から提案が行われている。
【０００３】
例えば、家庭用の住宅において一般商用電源が停電になるなどのときに蓄電池を活用して家庭での必要な電気機器、電気設備に電力供給することが可能な配電システムを提案されている。
【先行技術文献】
【特許文献】
【０００４】
【特許文献１】実願２０１６−４４６７号公報
【考案の概要】
【考案が解決しようとする課題】
【０００５】
本考案は、家庭用の住宅において一般商用電源が停電になるなどのときに電気自動車に掲載されているバッテリーを活用して家庭での必要な電気機器、電気設備に電力供給することが可能な配電システムを提案することを目的にしている。
【課題を解決するための手段】
【０００６】
（１）  外部からの電力供給と、一般商用電源の分電盤からの電力供給とを受け、前記外部から供給された電力を電力消費機器に供給する複数の外部電力専用コンセントと、前記分電盤から供給された電力を前記電力消費機器に供給する複数の通常電力専用コンセントとを有する配電盤を備え、前記外部からの電力供給として、蓄電池からの電力供給と、電気自動車の車載バッテリーからの電力供給を含む配電システム。
【０００７】
（２）  （１）に記載の配電システムにおいて、前記配電盤は入力線部を備えており、当該入力線部から伸びている入力部先端に外部からの電力供給用の電力供給用プラグを備えることを特徴とする。
【０００８】
（３）  （１）または（２）に記載の配電システムにおいて、前記電力消費機器につながるプラグが前記住宅の停電時に差し込まれる複数の外部電力専用コンセントに施されている彩色と、前記複数の通常電力専用コンセントに施されている彩色とが互いに異なることを特徴とする。
【０００９】
（４）  （２）または（３）に記載の配電システムを備えた住宅。
【００１０】
（５）  （４）に記載の住宅において、前記住宅の内壁に、前記電力供給用プラグを接続可能な電力供給用プラグ用コンセントを備え、前記住宅の外壁または前記住宅の外部に前記電力供給用プラグコンセントと接続された外部入力線部を有し、前記外部入力線部の先端に電気自動車と接続自在のプラグ部を備えることを特徴とする。
【００１１】
（６）  （４）に記載の住宅において、前記住宅の内壁に、前記電力供給用プラグを接続可能な電力供給用プラグ用コンセントを備え、前記住宅の外壁または前記住宅の外部に前記電力供給用プラグコンセントと接続された外部入力線部を有し、前記外部入力線部の先端に外部発電機と接続自在のプラグ部を備えることを特徴とする。
【考案の効果】
【００１２】
本考案によれば、停電時に、住宅内外の電源供給物から住宅内への供給が簡易に行える。
【図面の簡単な説明】
【００１３】
【図１】本考案の一実施形態に係る配電システムの一例を説明する概念図。
【図２】本考案の一実施形態に係る外部ボックスの一例を説明する概要図。
【考案を実施するための形態】
【００１４】
図１に示すように、配電システム１は、ＰＨＶコンセント２などの外部からの電力供給と、例えば、東京電力ホールディングス株式会社などが提供する一般商用電源の分電盤からの電力供給とを受けている。
【００１５】
また、配電システム１は、外部から供給された電力を、照明器具５２、テレビ５４、冷蔵庫５６などの電力消費機器に供給する複数の外部電力専用コンセント１２と、分電盤から供給された電力を前記電力消費機器に供給する複数の通常電力専用コンセント１０とを有する配電盤１４を備える。
【００１６】
外部電力専用コンセント１２と、通常電力専用コンセント１０とは、住宅１００の内壁１１０に設けられている。本実施例においては、通常電力専用コンセント１０の下部に、外部電力専用コンセント１２が設けられているが、本考案はこれに限定されず、他の配置であっても良い。
【００１７】
住宅４０の停電時に外部電力専用コンセント１２には、照明器具５２、テレビ５４、冷蔵庫５６などの電力消費機器につながるプラグを差し込むことが可能である。
【００１８】
また、停電時などに分かりやすくするために、外部電力専用コンセント１２は、通常電力専用コンセント１０とは異なった色である赤色に彩色されている。しかし、本考案はこれに限定されず、外部電力専用コンセント１２は、通常電力専用コンセント１０との違いが明確にわかる彩色であれば、他の色であっても良い。
【００１９】
また、配電盤１４は入力線部１６を備えている。入力線部１６から伸びている入力部先端に外部からの電力供給用のプラグ１７が備えられている。
【００２０】
住宅の外壁１２０には、外部ボックス１４０が設けられている。外部ボックス１４０の中には、リード線１５０が入っている。リード線１５０の先端は、電気自動車用接続用のプラグ１７０（ＰＨＶ  ｔｏ  Ｈプラグ）が備えられている。プラグ１７０は、電気自動車のヴィークルパワーコネクタや、トランクコンセントに接続可能である。また、蓄電池にも接続可能である。このリード線１５０は、住宅４０の内壁にある電力供給用プラグ用コンセント２（例えば、ＰＨＶ専用コンセント）に接続されている。
【００２１】
例えば、停電時に、外部ボックス１４０から、リード線１５０を取り出し、電気自動車に接続する。
【００２２】
さらに、外部電力専用コンセント１２を、電力供給用プラグ用コンセント２に接続する。
【００２３】
配電システム１のスイッチをオンにすると、配電システム１に接続された照明器具５２、テレビ５４、冷蔵庫５６などの電力消費機器が使用可能になる。
【００２４】
外部ボックス１４０にリード線１５０が入っているため、住宅外にある電気自動車や蓄電池など電源供給物から住宅内への供給を簡易に行うことができる。また、ドラムリールなどによる電源供給では、玄関や窓などが施錠できないため、セキュリティが保てないが、本考案では玄関や窓を施錠しても電源供給が可能なため、セキュリティを保つことが可能である。
【００２５】
図２は、外部ボックス２４０が住宅の外部に設けられた例である。例えば、住宅の外に設けられた郵便受けの下に、外部ボックス２４０内には、住宅４０の内壁にある電力供給用プラグ用コンセント２に接続されたリード線２５０が収納されている。
【００２６】
例えば、停電時に、外部ボックス２４０から、リード線２５０を取り出し、電気自動車に接続する。
【００２７】
さらに、外部電力専用コンセント１２を、電力供給用プラグ用コンセント２に接続する。
【００２８】
配電システム１のスイッチをオンにすると、配電システム１に接続された照明器具５２、テレビ５４、冷蔵庫５６などの電力消費機器が使用可能になる。
【００２９】
外部ボックス２４０にリード線２５０が入っているため、住宅外にある電気自動車や蓄電池など電源供給物から住宅内への供給を簡易に行うことができる。また、例えば、郵便受けなどは道路側に面して設けられることが多いため、災害時に第三者の電気自動車などによる電源供給が行いやすくなる。
【００３０】
また、ドラムリールなどによる電源供給では、玄関や窓などが施錠できないため、セキュリティが保てないが、本考案では玄関や窓を施錠しても電源供給が可能なため、セキュリティを保つことが可能である。
【符号の説明】
【００３１】
１  配電システム
２  ＰＨＶコンセント
１０  通常電力専用コンセント
１２  外部電力専用コンセント
１４  配電盤
４０  住宅
５２  照明器具
５４  テレビ
５６  冷蔵庫
１２０  外壁
１４０  外部ボックス
１５０  リード線
１７０  電気自動車用接続用のプラグ
２４０  外部ボックス
２５０  リード線
【図１】
0003225898.tif 000003
【図２】
0003225898.tif 000004
【手続補正書】
【提出日】令和2年2月13日(2020.2.13)
【手続補正１】
【補正対象書類名】実用新案登録請求の範囲
【補正対象項目名】全文
【補正方法】変更
【補正の内容】
【実用新案登録請求の範囲】
【請求項１】
外部からの電力供給と、一般商用電源の分電盤からの電力供給とを受け、前記外部から供給された電力を電力消費機器に供給する複数の外部電力専用コンセントと、
前記分電盤から供給された電力を前記電力消費機器に供給する複数の通常電力専用コンセントとを有する配電盤を備え、
前記外部からの電力供給として、蓄電池からの電力供給と、電気自動車の車載バッテリーからの電力供給を含む配電システム。
【請求項２】
請求項１に記載の配電システムにおいて、前記配電盤は入力線部を備えており、当該入力線部から伸びている入力部先端に外部からの電力供給用の電力供給用プラグを備えることを特徴とする配電システム。
【請求項３】
請求項２に記載の配電システムにおいて、前記電力消費機器につながるプラグが住宅の停電時に差し込まれる複数の外部電力専用コンセントに施されている彩色と、前記複数の通常電力専用コンセントに施されている彩色とが互いに異なることを特徴とする配電システム。
【請求項４】
請求項２または請求項３に記載の配電システムを備えた住宅。
【請求項５】
請求項４に記載の住宅において、前記住宅の内壁に、前記電力供給用プラグを接続可能な電力供給用プラグ用コンセントを備え、前記住宅の外壁または前記住宅の外部に前記電力供給用プラグコンセントと接続された外部入力線部を有し、前記外部入力線部の先端に電気自動車と接続自在のプラグ部を備えることを特徴とする住宅。
【請求項６】
請求項４に記載の住宅において、前記住宅の内壁に、前記電力供給用プラグを接続可能な電力供給用プラグ用コンセントを備え、前記住宅の外壁または前記住宅の外部に前記電力供給用プラグ用コンセントと接続された外部入力線部を有し、前記外部入力線部の先端に外部発電機と接続自在のプラグ部を備えることを特徴とする住宅。